(57)【特許請求の範囲】
【請求項１】
框と、篩枠と、底板とを備える篩分け機であって、
該框は、粉粒体が投入される入口孔を有する天壁と、複数の底壁開口部を有する底壁と、篩枠格納室とを有し、
該篩枠は、篩網と複数の篩枠開口部とを有すると共に該篩枠格納室内に積層され、
該底板は、交換可能に該底壁上又は該底壁の底面側に設置され、その際に、該底壁開口部の何れかと対向する位置に形成された出口開口部と、該出口開口部と連通する出口孔とを有すると共に該出口開口部に対向していない該底壁開口部を塞ぐことが可能となっており、
該篩枠開口部は、所定の粒度範囲毎に篩分けされた該粉粒体の流路を形成するためのものであり、
該出口孔は、該底板の底面より突出する様に設けられていると共に該流路の何れかと連通可能に設けられていることを特徴とする篩分け機。
【請求項２】
連通孔を有する底枠を更に備え、前記出口孔は該連通孔を介して前記流路と連通可能に設けられていることを特徴とする請求項１に記載の篩分け機。
【請求項３】
篩網と複数の篩枠開口部を有する篩枠を備え、該篩枠が積層され配置されると共に該篩枠開口部によって所定の粒度範囲毎に篩分けされた該粉粒体の流路を形成される篩分け機に用いる底板であって、
出口開口部と、該出口開口部に連通すると共に該底板の底面から突出する様に設けられた出口孔とを備え、
該出口孔は、該流路の何れかと連通可能に設けられており、
該篩分け機に交換可能に設置することができると共に該篩分け機の底壁に形成された底壁開口部の中の使用されない該底壁開口部を閉塞可能に設けられていることを特徴とする底板。
【請求項４】
前記出口孔は、前記底板底面に溶接によって取付けられていることを特徴とする請求項３記載の底板。
【発明の詳細な説明】
【技術分野】
【０００１】
本発明は、篩分け機に関し、より詳細には、多段状に積載した篩枠を有している篩分け機に関する。
【背景技術】
【０００２】
従来、スクエアシフター等の名称で呼ばれ、グラスファイバー等で吊るされた本体を備え、該本体に異なる目開きの篩網を有する篩枠を多段に積載して回転搖動させることで、投入された粉粒体の篩分けをする篩分け機がある。当該篩分け機は、粉粒体を所望する粒度範囲で分けることができるものである。この様な篩分け機は、所望する粒度範囲毎に粉粒体を回収するための配管に接続される複数の出口孔が設けられている（例えば、特許文献１又は２を参照）。
【先行技術文献】
【特許文献】
【０００３】
【特許文献１】特開２００３−４７９１４号公報
【特許文献２】特表２０１０−５１６４４０号公報
【発明の概要】
【発明が解決しようとする課題】
【０００４】
当該配管は、通常、施設毎に設けられた既存の固定設備であるため、その管径は施設毎に異なるばかりでなく、管径の異なる複種類の配管が設けられていることもある。そのため、配管の径に合わせて、該出口孔の径を調整する必要があるが、従来の篩分け機は、該出口孔が篩分け機の底壁開口部にかしめ等によって取付けられていた。そのため、底壁開口部の径は施設毎に調整することが困難であり、出口孔もまた施設毎にその管径を調整することは困難であった。
【０００５】
そこで、出口孔は全て同径とし、その端にテーパー管をクランプ等で接続することで調整を行っていた（例えば、図７を参照、尚、図７中、符号１０８が底壁、符号１０８ａが底壁開口部、符号１２０が出口孔、符号１２０ｂがかしめ、符号１２２がテーパー管、符号１２３がクランプである）。
【０００６】
しかしながら、従来の篩分け機は、その回転搖動によって、当該クランプが緩んでしまい、テーパー管が勝手に空転してしまう可能性があるという問題があり、通常、テーパー管と配管とは、当該回転搖動に対応できる様に布製のチューブ等の可撓性のあるチューブによって接続されるものであるので、当該テーパー管の回転によって、当該チューブが捻じれて管路が閉塞されてしまう可能性があった。又、当該クランプが緩むことでテーパー管と出口孔との間隙から粉漏れする可能性もあった。
【０００７】
そこで、本発明は、出口孔の端にクランプ等によってテーパー管を接続しなくとも該出口孔の管径を調整可能な篩分け機を提供することを目的とする。
【課題を解決するための手段】
【０００８】
本発明は、框と、篩枠と、底板とを備える篩分け機であって、該框は、粉粒体が投入される入口孔を有する天壁と、複数の底壁開口部を有する底壁と、篩枠格納室とを有し、該篩枠は、篩網と複数の篩枠開口部とを有すると共に該篩枠格納室内に積層され、該底板は、交換可能に該底壁上又は該底壁の底面側に設置され、その際に、該底壁開口部の何れかと対向する位置に形成された出口開口部と、該出口開口部と連通する出口孔とを有すると共に該出口開口部に対向していない該底壁開口部を塞ぐことが可能となっており、該篩枠開口部は、所定の粒度範囲毎に篩分けされた該粉粒体の流路を形成するためのものであり、該出口孔は、該底板の底面より突出する様に設けられていると共に該流路の何れかと連通可能に設けられていることを特徴とする篩分け機である。
【０００９】
又、本発明は、篩網と複数の篩枠開口部を有する篩枠を備え、該篩枠が積層され配置されると共に該篩枠開口部によって所定の粒度範囲毎に篩分けされた該粉粒体の流路を形成される篩分け機に用いる底板であって、出口開口部と、該出口開口部に連通すると共に該底板の底面から突出する様に設けられた出口孔とを備え、該出口孔は、該流路の何れかと連通可能に設けられており、該篩分け機に交換可能に設置することができると共に該篩分け機の底壁に形成された底壁開口部の中の使用されない該底壁開口部を閉塞可能に設けられていることを特徴とする底板である。
【００１０】
前記篩分け機は、連通孔を有する底枠を更に備えてもよく、前記出口孔を、該連通孔を介して前記流路と連通可能となる様に設けることもできる。又、前記底板の出口孔は、前記底板底面に溶接によって取付けることもできる。
【発明の効果】
【００１１】
本発明は、出口孔を篩分け機の底壁でなく、底板に設けることによって、出口孔を各設備の条件に合わせて比較的容易に調整可能となるため、出口孔の端にクランプ等によってテーパー管を接続する必要がない。従って、当該クランプを用いる弊害を生じ得ない。
【図面の簡単な説明】
【００１２】
【図１】本発明の実施形態における内部構成を示す正面図であり、右側が使用時の様子を示す図であり、左側は底壁近傍の分解図である。
【図２】図１のII−II線断面図に相当する図であり、右側が底板設置後の様子を、左側が底板設置前の様子を示す図である。
【図３】本発明の実施形態における底板の拡大平面図である。
【図４】本発明の実施形態における底板の拡大側面図である。
【図５】本発明の実施形態における篩枠の拡大平面図である。
【図６】本発明の実施形態における外観を示す図であり、（Ａ）が縮小平面図であり、（Ｂ）が縮小正面図である。
【図７】従来の篩分け機の底壁及び出口孔を示す部分断面図である。
【発明を実施するための形態】
【００１３】
本発明の実施形態を図１乃至図６に基づき説明する。尚、以下、便宜的に、篩分け機１が吊り下げられた状態で、框４の扉１０側を正面として前後左右上下を定義し、説明するものとする。
【００１４】
篩分け機１は、グラスファイバー等の吊下げ手段２によって吊り下げられた本体３と、本体３を回転搖動するための搖動手段（図示せず）を備えている。本体３は、単数又は複数の框４を有している。
【００１５】
框４は、箱体であり、入口孔５を有する天壁６と、側壁７と、開口部８ａ（以下、底壁開口部８ａという）が形成された底壁８とを有する。その内方には、篩枠格納室９が形成されている。又、側壁７には、框４の内外を連通するための扉１０が設けられている。底壁開口部８ａは、底壁８に複数形成される。その個数は、適宜選択可能であるが、篩分け機１を設置した後の設計変更に容易に対応可能となる様に、接続可能な配管（図示せず）の最大数であることが好ましい。
【００１６】
篩枠格納室９は、篩枠１１を固定するための複数の昇降枠１２と、昇降枠１２を支持するための支持枠１３と、昇降枠１２上に積層される複数の篩枠１１と、底枠１４と、底板１５とを格納できる様になっている。又、篩枠格納室９には、扉１０側を除く三方より底板１５を固定するための固定枠１６が形成されると共に支持枠１３又は篩枠１１の一部を取り付けるための係止金具１７が設けられている。篩枠１１は、入口孔５より投入された粉粒体を所望する粒度毎に篩分けするためものであり、又、昇降枠１２及び支持枠１３には、後述する篩枠１１の開口部１１ｂと連通可能に形成された開口部（図示せず）が形成されている。
【００１７】
篩枠１１は、中央部に篩網１１ａが張られており、その周囲に複数の開口部１１ｂ（以下、篩枠開口部１１ｂという）が形成されている。篩枠開口部１１ｂは、積層した篩枠１１内に入口孔５より投入された粉粒体を所望する粒度範囲毎に分けるための上下方向に蛇行した複数の流路１８を形成するために形成されている。
【００１８】
篩網１１ａは、所望する粒度範囲に応じて適当なmeshを有するものが採用されるが、一般的に入口孔５側（上側）に行くにつれ低meshとなり、出口孔２０側（下側）に行くにつれ高meshとなる様に選択される。本実施形態においては、篩枠開口部１１ｂは４ヵ所に形成されているが、その個数は必要に応じて適宜変更可能である。又、篩枠１１の左右側面には、引掛金具１１ｃが取り付けられている。篩枠１１は、昇降枠１２をジャッキアップすることで篩枠格納室９内に固定される。
【００１９】
底枠１４は、連通孔１４ａを有している。連通孔１４ａは、複数の流路１８の各々を後述する底板１５の出口孔２０の何れかと連通させるために形成される。又、本実施形態においては、底枠１４は、昇降枠１２を支持する支持枠１３としての役割も兼ねている。
【００２０】
底板１５は、底板１５を篩枠格納室１３内に設置された際に、底壁開口部８ａの何れかと対向する位置に形成された出口開口部１９と、出口開口部１９と連通する出口孔２０とを有している。出口開口部１９は、接続する必要のある前記配管の数だけ設けられると共にその径は該配管に合わせて選択される。
【００２１】
出口孔２０は、底板１５の底面１５ａから下方に突出する様に形成されると共にその径は前記配管に合わせて選択される。又、出口孔２０の下端外面には、出口孔２０と当該配管との間を接続するために取付けられる可撓管（図示せず）の脱落を防止するための環状凸部２０ａが形成される。出口孔２０と出口開口部１９との接続方法は、既存の方法を適宜選択することができるが、好ましくは、溶接等の底板１５の天面１５ｂの平坦性が確保可能な方法が選択される。
【００２２】
底板１５は、パッキン２１を介して底壁８上の固定枠１６内に設置される。この際に出口孔２０は底壁８の天面８ｃ側より底壁開口部８ａに貫入され、その下端側が底壁８の底面８ｂから下方に突出する様に固定される。そして、底板天面１５ｂには、底枠１４が設置され、その上に、篩枠１１や昇降枠１２が積層される。従って、本実施形態では、底板１５と底壁８とパッキン２１により密着されていると共に出口開口部１９に対向していない底壁開口部８ａは底板１５によって塞がれることとなるため、底壁開口部８ａより篩枠格納室９内にゴミ等の異物が進入すること防止できる様になっている。
【００２３】
そして、底板１５は、篩枠格納室９へ比較的容易に取付けが可能となっているため、施設毎に、所望の径を有する出口孔２０が取付けられた底板１５を別途製造することができ、従来の篩分け機の様にテーパー管を使用しなくとも出口孔２０の径を調整することが可能である。又、底板１５は、篩枠格納室９から比較的容易に取り外すことも可能であり、篩分け機１を設置した後の配管等に設計変更が生じたとしても、底板１５を交換することで対応することが可能となる。
【００２４】
底枠１４を底板天面１５ｂ上に設置される際に、出口孔２０が上記溶接等の手段で底板底面１５ａに取付けられていることが好ましい。例えば、かしめ等によって出口孔２０を出口開口部１９に取付けると、底板天面１５ｂに僅かに凹凸が生じてしまうため、底板１５と底枠１４との間の密着性を確保するためにパッキン（図示せず）を用いる必要があるが、長期に亘る使用によって、当該パッキンが固くなり、隙間は生じる可能性が出てきてしまうため、当該パッキンの弾力を管理する手間が生じてしまうからである。
【００２５】
又、底板１５によって使用しない底壁開口部８ａを塞ぐことによって、以下の様な利点もある。従来の篩分け機においても、設置後の設計変更に対応できる様に当初より接続可能な配管の最大数の出口孔１２０が底壁１０８に形成することもできたが、当該篩分け機では、異物混入の防止や衛生上の観点から使用されない出口孔１２０は、閉塞板１２４で塞ぐ必要があった（図７を参照）。
【００２６】
そのため、従来の篩分け機は、使用中に閉塞板１２４が脱落する等の問題が起きる可能性があった。本実施形態の様に底板１５を用いることで、この様な閉塞板を用いずとも使用しない底壁開口部８ａを閉塞することが可能となる。
【００２７】
以上、本発明を上記実施形態によって説明したが、本発明は上記実施形態に限定されるものではなく、発明の要旨を変更しない範囲で適宜変更可能である。例えば、上記実施形態では、底板１５を底壁天面８ｃ側から設置しているが、底壁底面８ｂ側に設置することも可能である。その場合は、使用されない底壁開口部８ａを閉塞板（図示せず）等で埋めておくことが好ましいが、該閉塞板等は、従来の篩分け機とは異なり、底板１５によって支持されることとなるため落下等の問題が生じることが防止される。
【００２８】
又、上記実施形態では、昇降枠１２によって篩枠１１を固定していたが、エアパッキンや、ボルト等の締め付け等の別の手段によって固定することも可能である。
【符号の説明】
【００２９】
１      篩分け機            ２      吊下げ手段          ３      本体
４      框                  ５      入口孔              ６      天壁
７      側壁                ８      底壁                ８ａ    底壁開口部
８ｂ    底壁底面            ８ｃ    底壁天面            ９      篩枠格納室
１０    扉                  １１    篩枠                １１ａ  篩網
１１ｂ  篩枠開口部          １１ｃ  引掛金具            １２    昇降枠
１３    支持枠              １４    底枠                １４ａ  連通孔
１５    底板                １５ａ  底板底面            １５ｂ  底板天面
１６    固定枠              １７    係止金具            １８    流路
１９    出口開口部          ２０    出口孔              ２０ａ  環状凸部
２１    パッキン            １０８  底壁                １２０  出口孔
１２２  テーパー管          １２３  クランプ            １２４  閉塞板
【要約】
【課題】出口孔の端にクランプ等によってテーパー管を接続しなくとも該出口孔の管径を調整可能な篩分け機を提供する。
【解決手段】
框４と、篩枠１１と、底板１５とを備える篩分け機１において、該框４が、粉粒体が投入される入口孔５を有する天壁６と、複数の底壁開口部８ａを有する底壁８と、篩枠格納室９とを有し、該篩枠１１が、篩網１１ａと複数の篩枠開口部１１ｂとを有すると共に該篩枠格納室９内に積層され、該底板１５が、該篩枠格納室９内に設置された際に、該底壁開口部８ａの何れかと対向する位置に形成された出口開口部１９と、該出口開口部１９と連通する出口孔２０とを有するものとして、該篩枠開口部１１ｂによって、所定の粒度範囲毎に篩分けされた該粉粒体の流路１８を形成し、該出口孔２０を、該底板底面１５ａより突出する様に設けると共に該流路１８の何れかと連通可能に設ける。
【選択図】図１【図１】
0005631459.tif 000002
【図２】
0005631459.tif 000003
【図３】
0005631459.tif 000004
【図４】
0005631459.tif 000005
【図５】
0005631459.tif 000006
【図６】
0005631459.tif 000007
【図７】
0005631459.tif 000008